(57)【要約】 【課題】  生簀内に照射される光を遮断し、養殖魚にとって快適な環境を実現可能な養殖装置を提供する。【解決手段】  養殖装置１は、生簀２の上部に遮光シート３が設けられる。遮光シートは、生簀の上部に設けられる生簀枠７に連結される遮光シート支持手段４によって支持される。養殖装置はまた、基端部３５が生簀枠に連結され、生簀の外方に延びる第１支持部材５を備え、第１支持部材の遊端部３６ａ，３６ｂ付近と、遮光シート支持手段とに連結される第１ばね部材６のばね力によって、遮光シート支持手段に装着された遮光シートに張力を作用し、遮光シートの装着状態をより安定的に維持する。【選択図】      図１
2005348658.tif 000002
【特許請求の範囲】
【請求項１】
生簀の上部に可視光を遮断する遮光シートを設けることを特徴とする魚類養殖装置。
【請求項２】
上部に生簀枠が設けられる生簀と、
可視光を遮断する遮光シートと、
生簀枠に連結され、遮光シートを支持する遮光シート支持手段と、
生簀枠の遮光シート支持手段との連結部付近に基端部が連結され、生簀の外方に延びる第１支持部材と、
一端部が第１支持部材の遊端部付近に連結され、他端部が遮光シート支持手段の予め定める位置に連結される第１ばね部材と、
を含むことを特徴とする魚類養殖装置。
【請求項３】
前記遮光シート支持手段は、上下に延びる支柱と、支柱を支持する支柱受部材とを含むことを特徴とする請求項２記載の魚類養殖装置。
【請求項４】
前記第１支持部材の遊端部付近にフロートが取り付けられることを特徴とする請求項２または３記載の魚類養殖装置。
【請求項５】
前記第１支持部材は、基端部から複数の方向に延びるように形成され、第１支持部材の各遊端部付近には、第１ばね部材の各一端部が、それぞれ連結されることを特徴とする請求項２〜４のうちいずれか１項に記載の魚類養殖装置。
【請求項６】
前記遮光シート支持手段は、第１連結手段によって生簀枠に連結され、
第１連結手段は、遮光シート支持手段に作用する生簀の内方への力に対し、逆方向に力を作用することを特徴とする請求項２〜５のうちいずれか１項に記載の魚類養殖装置。
【請求項７】
前記第１連結手段は、
一端部が遮光シート支持手段に連結され、他端部に軸筒部が形成される第１連結部材と、
一端部が生簀枠に連結され、他端部に軸筒部が形成される第２連結部材と、
コイル部を含む第２ばね部材と、
第１連結部材の軸筒部と、第２連結部材の軸筒部と、第２ばね部材のコイル部とを挿通する第１軸部材とを含み、
第２ばね部材は、自然状態において、一端部が第１連結部材の生簀の内方に向かう面に当接し、かつ他端部が第２連結部材に当接するように設けられることを特徴とする請求項６記載の魚類養殖装置。
【請求項８】
前記第１支持部材は、第２連結手段によって生簀枠に連結され、
第２連結手段は、第１支持部材に作用する上方への力に対し、逆方向に力を作用することを特徴とする請求項２〜７のうちいずれか１項に記載の魚類養殖装置。
【請求項９】
前記第２連結手段は、
一端部が第１支持部材に連結され、他端部に軸筒部が形成される第３連結部材と、
一端部が生簀枠に連結され、他端部に軸筒部が形成される第４連結部材と、
コイル部を含む第３ばね部材と、
第３連結部材の軸筒部と、第４連結部材の軸筒部と、第３ばね部材のコイル部とを挿通する第２軸部材とを含み、
第３ばね部材は、自然状態において、一端部が第３連結部材の上方に向かう面に当接し、かつ他端部が第４連結部材に当接するように設けられることを特徴とする請求項８記載の魚類養殖装置。
【請求項１０】
前記第１支持部材に重錘手段が設けられることを特徴とする請求項２〜８のうちいずれか１項に記載の魚類養殖装置。
【発明の詳細な説明】
【技術分野】
【０００１】
本発明は、海などを利用してマグロなどの魚類を養殖するための装置に関する。
【背景技術】
【０００２】
近年、マグロなどの高級魚の養殖が、海岸付近の水域に設けられた生簀内で行われている。
【０００３】
マグロのような繊細な魚は、特に夜間に、たとえば生簀の近隣を通過する自動車または漁船の照明装置による光を受けると、その光に興奮し、突然暴れ出す習性を有する。従来の養殖装置では、このような光が遮断されないので、生簀中の養殖魚が、暴れ、生簀網または他の養殖魚に衝突することによって、魚体が損傷し、ひいては魚が死亡するという問題があった。また、暴れることによって体温が上昇し、魚体のタンパク質が変質する、いわゆる身焼けが生じるおそれがある。したがって、生簀に対して光が突然照射されたとしても養殖魚に影響を与えることのない、好適な養殖環境を実現可能な養殖装置が望まれている。
【発明の開示】
【発明が解決しようとする課題】
【０００４】
本発明の目的は、生簀に照射される可視光を遮断し、養殖魚にとって快適な環境を実現可能な養殖装置を提供することである。
【課題を解決するための手段】
【０００５】
本発明は、生簀の上部に可視光を遮断する遮光シートを設けることを特徴とする魚類養殖装置である。
【０００６】
本発明に従えば、生簀の上部に遮光シートが設けられることによって、生簀近辺を通過する自動車または漁船からの可視光を遮断することができる。
【０００７】
本発明は、上部に生簀枠が設けられる生簀と、
可視光を遮断する遮光シートと、
生簀枠に連結され、遮光シートを支持する遮光シート支持手段と、
生簀枠の遮光シート支持手段との連結部付近に基端部が連結され、生簀の外方に延びる第１支持部材と、
一端部が第１支持部材の遊端部付近に連結され、他端部が遮光シート支持手段の予め定める位置に連結される第１ばね部材と、
を含むことを特徴とする魚類養殖装置である。
【０００８】
本発明に従えば、第１ばね部材が、遮光シート支持手段から第１支持部材の遊端部に向かう方向に引張力を作用するので、遮光シート支持手段に装着された遮光シートに張力を作用する。これによって、遮光シートの装着状態をより安定的に維持することができる。
【０００９】
遮光シート支持手段が生簀の内方に変位し、遮光シートに作用する張力が弱くなると、生簀内に遮光シートが着水するおそれがある。この場合、養殖魚に遮光シートが絡まるなど、養殖環境を悪化させる原因となる。本発明に従えば、遮光シートが生簀の内方に風圧を受けるなどの外力を受けたとしても、第１ばね部材が、遮光シート支持手段に作用する生簀の内方への力に対し、逆方向にばね力を作用するので、遮光シート支持手段の生簀の内方への変位を防止することができる。この結果、好適な養殖環境を実現することができる。
【００１０】
本発明は、前記遮光シート支持手段は、上下に延びる支柱と、支柱を支持する支柱受部材とを含むことを特徴とする。
【００１１】
本発明に従えば、遮光シート支持手段において、支柱が支柱受部材によって支持されるので、遮光シートをより安定的に維持することができる。
【００１２】
本発明は、前記第１支持部材の遊端部付近にフロートが取り付けられることを特徴とする。
【００１３】
本発明に従えば、第１支持部材の遊端部付近にフロートが取り付けられるので、第１支持部材に浮力が与えられ、一定の高さを維持することができる。
【００１４】
本発明は、前記第１支持部材は、基端部から複数の方向に延びるように形成され、第１支持部材の各遊端部付近には、第１ばね部材の各一端部が、それぞれ連結されることを特徴とする。
【００１５】
本発明に従えば、第１支持部材は、基端部から複数の方向に延びるように形成され、第１ばね部材の各一端部が、第１支持部材の各遊端部付近に連結されるので、第１ばね部材は、遮光シート支持手段に作用する様々な方向への力に対して、逆方向にばね力を作用する。これによって、遮光シートの装着状態をより安定的に維持することができる。
【００１６】
本発明は、前記遮光シート支持手段は、第１連結手段によって生簀枠に連結され、
第１連結手段は、遮光シート支持手段に作用する生簀の内方への力に対し、逆方向に力を作用することを特徴とする。
【００１７】
本発明に従えば、第１連結手段が、遮光シート支持手段に作用する生簀の内方への力に対し、逆方向に力を作用するので、遮光シート支持手段に装着された遮光シートに作用する張力を維持することができ、遮光シートの装着状態をより安定的に維持することができる。また、遮光シートが生簀の内方に風圧を受けたとしても、遮光シート支持手段の生簀の内方への変位を防止することができ、遮光シートが生簀内に入って養殖魚に絡まるなどの危険はない。
【００１８】
本発明は、前記第１連結手段は、
一端部が遮光シート支持手段に連結され、他端部に軸筒部が形成される第１連結部材と、
一端部が生簀枠に連結され、他端部に軸筒部が形成される第２連結部材と、
コイル部を含む第２ばね部材と、
第１連結部材の軸筒部と、第２連結部材の軸筒部と、第２ばね部材のコイル部とを挿通する第１軸部材とを含み、
第２ばね部材は、自然状態において、一端部が第１連結部材の生簀の内方に向かう面に当接し、かつ他端部が第２連結部材に当接するように設けられることを特徴とする。
【００１９】
本発明に従えば、第１軸部材を軸として、第１連結部材と第２連結部材とが角変位可能であり、第２ばね部材は、自然状態において、一端部が第１連結部材の生簀の内方に向かう面に当接し、他端部が第２連結部材に当接するので、遮光シート支持手段が外力を受けることにより第１連結部材が生簀の内方に角変位する場合、第２ばね部材が、生簀の内方への力に対して、逆方向にばね力を作用する。これによって、遮光シートの装着状態をより安定的に維持することができる。
【００２０】
本発明は、前記第１支持部材は、第２連結手段によって生簀枠に連結され、
第２連結手段は、第１支持部材に作用する上方への力に対し、逆方向に力を作用することを特徴とする。
【００２１】
本発明に従えば、第２連結手段が、第１支持部材に作用する上方への力、たとえば第１ばね部材によって第１支持部材に作用する遮光シート支持手段方向への引張力、またはフロートによって第１支持部材に作用する浮力に対して、逆方向に力を作用するので、遮光シートの装着状態をより安定的に維持することができる。
【００２２】
本発明は、前記第２連結手段は、
一端部が第１支持部材に連結され、他端部に軸筒部が形成される第３連結部材と、
一端部が生簀枠に連結され、他端部に軸筒部が形成される第４連結部材と、
コイル部を含む第３ばね部材と、
第３連結部材の軸筒部と、第４連結部材の軸筒部と、第３ばね部材のコイル部とを挿通する第２軸部材とを含み、
第３ばね部材は、自然状態において、一端部が第３連結部材の上方に向かう面に当接し、かつ他端部が第４連結部材に当接するように設けられることを特徴とする。
【００２３】
本発明に従えば、第２軸部材を軸として、第３連結部材と第４連結部材とが角変位可能であり、第３ばね部材は、自然状態において、一端部が第３連結部材の上方に向かう面に当接し、他端部が第４連結部材に当接するので、第１支持部材が外力を受けることにより第３連結部材が上方に角変位する場合、第３ばね部材が、上方への力に対して、逆方向にばね力を作用する。これによって、遮光シートの装着状態をより安定的に維持することができる。
【００２４】
本発明は、前記第１支持部材に重錘手段が設けられることを特徴とする。
本発明に従えば、第１支持部材に重錘手段が設けられるので、第１支持部材に作用する上方への力に対して、逆方向に重錘手段の重力が作用する。これによって、遮光シートの装着状態をより安定的に維持することができる。
【発明の効果】
【００２５】
本発明によれば、生簀の上部に遮光シートが設けられることによって、生簀近辺を通過する自動車または漁船からの可視光を遮断することができ、好適な養殖環境を実現することができる。
【００２６】
また、本発明によれば、第１ばね部材が、遮光シート支持手段から第１支持部材の遊端部に向かう方向に引張力を作用するので、遮光シート支持手段に装着された遮光シートに張力を作用し、遮光シートの装着状態をより安定的に維持することができる。また、遮光シートが生簀の内方に風圧を受けるなどの外力を受けたとしても、第１ばね部材が、遮光シート支持手段に作用する生簀の内方への力に対して、ばね力を作用するので、遮光シート支持手段の生簀の内方の変位を防止することができる。この結果、好適な養殖環境を実現することができる。
【００２７】
さらに、本発明によれば、遮光シート支持手段において、支柱が支柱受部材によって支持されるので、遮光シートをより安定的に維持することができる。
【００２８】
さらに、本発明によれば、第１支持部材の遊端部にフロートが取り付けられるので、第１支持部材に浮力が与えられ、一定の高さを維持することができる。
【００２９】
さらに、本発明によれば、第１支持部材は、基端部から複数の方向に延びるように形成され、第１ばね部材の各一端部が、第１支持部材の各遊端部に連結されるので、遮光シート支持手段に作用する様々な方向への力に対して、逆方向にばね力を作用し、遮光シートの装着状態をより安定的に維持することができる。
【００３０】
さらに、本発明によれば、第１連結手段が、遮光シート支持手段に作用する生簀の内方への力に対して、逆方向に力を作用するので、遮光シート支持手段に装着された遮光シートに作用する張力を維持することができ、遮光シートの装着状態をより安定的に維持することができる。また、遮光シートが生簀の内方に風圧を受けたとしても、遮光シート支持手段の生簀の内方への変位を抑えることができ、遮光シートが生簀内に入って養殖魚に絡まるなどの危険はない。
【００３１】
本発明によれば、第１軸部材を軸として、第１連結部材と第２連結部材とが角変位可能であり、第２ばね部材は、自然状態において、一端部が第１連結部材の生簀の内方に向かう面に当接し、他端部が第２連結部材に当接するので、遮光シート支持手段が外力を受けることにより第１連結部材が生簀の内方に角変位する場合、第２ばね部材が、生簀の内方への力に対して、逆方向にばね力を作用する。これによって、遮光シートの装着状態をより安定的に維持することができる。
【００３２】
本発明によれば、第２連結手段が、第１支持部材に作用する上方への力、たとえば第１ばね部材によって第１支持部材に作用する遮光シート支持手段方向への引張力、またはフロートによって第１支持部材に作用する浮力に対して、逆方向に力を作用するので、遮光シートの装着状態をより安定的に維持することができる。
【００３３】
本発明によれば、第２軸部材を軸として、第３連結部材と第４連結部材とが角変位可能であり、第３ばね部材は、自然状態において、一端部が第３連結部材の上方に向かう面に当接し、他端部が第４連結部材に当接するので、第１支持部材が外力を受けることにより第３連結部材が上方に角変位する場合、第３ばね部材が、上方への力に対して、逆方向に力を作用する。これによって、遮光シートの装着状態をより安定的に維持することができる。
【００３４】
本発明によれば、第１支持部材に重錘手段が設けられるので、第１支持部材に作用する上方への力に対して、逆方向に重錘手段の重力が作用する。これによって、遮光シートの装着状態をより安定的に維持することができる。
【発明を実施するための最良の形態】
【００３５】
図１は、本発明の実施の一形態である養殖装置１の全体の構成を示す斜視図である。養殖装置１は、クロマグロを養殖するための養殖装置であり、海岸付近の水域に設けられる。本実施の形態である養殖装置１は、基本的には、生簀２と、可視光を遮断する遮光シート３と、遮光シート３を支持する遮光シート支持手段４と、生簀２の外方に延びる第１支持部材５と、遮光シート支持手段４と第１支持部材５とに連結される第１ばね部材６とから構成される。
【００３６】
生簀２は、上部が開放された円筒形の養殖空間を有し、上部が水面上付近に位置するように浮設される。生簀２の上部には、環状の鉄製の生簀枠７が設けられる。生簀枠７は、生簀２の軸線Ｘ方向に間隔をあけて設けられる２つの環状枠８，９と、下方の環状枠９の外方に、生簀２の軸線Ｘの半径方向に間隔をあけて設けられる１つの環状枠１０と、これらの環状枠８，９，１０に沿って生簀２の軸線Ｘまわりに一定の間隔をあけた複数の位置に設けられ、環状枠を互いに連結する環状枠連結部材１１とから構成される。生簀枠７の内側の環状枠８，９の直径は、約３０ｍであり、外側の環状枠１０の直径は、約３１ｍである。環状枠連結部材１１は、上方内側の環状枠８から下方外側の環状枠１０に向かって斜めに延びるように形成される斜め連結部材１２と、下方内側の環状枠９から上方内側の環状枠８に向かって軸線Ｘ方向に立ち上がるように形成される立ち上がり連結部材１３と、下方内側の環状枠９から下方外側の環状枠１０に向かって生簀２の軸線Ｘの半径方向に延びるように形成される横連結部材１４とを含み、これらの３つの連結部材１２，１３，１４の各端の間に、両端を開放した継ぎ手部を形成してなる。各継ぎ手部に各環状枠８，９，１０を挿通することによって、環状枠８，９，１０が互いに連結される。本実施の形態において、これらの環状枠８，９，１０、および環状枠連結部材１１の断面形状は、円形であるが、四角形、またはその他の多角形であってもよい。本実施の形態において、生簀枠７は、鉄製であるが、ステンレス鋼など、その他の金属でもよい。また、生簀枠７の大きさ、形状、構成は、養殖する魚の種類に応じて、適宜選択することができる。
【００３７】
生簀枠７の内側の２つの環状枠８，９には、生簀２の軸線Ｘまわりに合成樹脂製の円筒状の側部網１５の上端が取り付けられる。側部網１５の下端には、内外２重の金属製の環状枠１６，１７からなる底枠１８が取り付けられる。底枠１８の水面からの深さは、約８〜１０ｍである。底枠１８の内側の環状枠１６の枠内に、合成樹脂製の底部網１９が架設される。側部網１５の下部は、底部網１９によって塞がれ、側部網１５と底部網１９とで、上部を開放した円筒状の養殖空間が形成される。底枠１８の内外の環状枠１６，１７の間には、複数のロープ２１が架橋される。底枠１８の外側の環状枠１７は、生簀枠７の外側の環状枠１０に、複数のロープ２２を用いて連結される。
【００３８】
生簀枠７には、合成樹脂製の複数の第１フロート２３が取り付けられる。これによって、生簀２に浮力が与えられ、一定の高さを維持することができる。第１フロート２３は、縦断面形状が略楕円形状の、中空の内部が密閉された略楕円体であり、縦断面の長軸は、約７０ｃｍである。第１フロート２３は、生簀枠７の下方内側の環状枠９と、外側の環状枠１０との間に配置され、第１フロート２３を固定するための帯状の第１フロート固定部材２４によって、両環状枠９，１０に緊縛される。第１フロート固定部材２４は、ねじ止めされることによって、第１フロート２３に固定される。これによって、本実施の形態において、生簀２は、生簀枠７の下方の環状枠９，１０が水面上付近に位置するように浮設される。
【００３９】
遮光シート３は、長手方向の長さが１２〜１３ｍ、長手方向と垂直な方向の長さが２〜３ｍの矩形の、黒色のシートであり、ポリエチレンまたはポリプロピレンなどのオレフィン系樹脂からなるフィルムを網目状に編んで形成される。本実施の形態においては、遮光シート３の上端は水面から約２ｍ上方に設けられ、下端は水面から約０．５〜１ｍ下方に設けられる。これにより、近隣を通過する自動車または漁船などのライトが生簀２内に入るのを遮断することができる。また、遮光シート３が水圧を受け、下端が生簀２の内方に変位したとしても、側部網１５を変形させることはないので、養殖環境を好適に維持することができる。遮光シート３の寸法および設置位置は、近隣を通過する自動車または漁船などのライトが入射し得る角度の範囲に応じて適宜選択される。また、本実施の形態において、遮光シート３の下端を水面から約０．５〜１ｍとしたが、好ましくは、遮光シート３が生簀２の内方に変位しても、側部網１５に接触しない程度の長さにされる。遮光シート３の材料、および遮光率は、養殖魚の種類に応じて、適宜選択される。
【００４０】
遮光シート支持手段４は、生簀枠７の外側の環状枠１０に沿って、生簀２の軸線Ｘまわりに一定の間隔をあけて、複数の位置に連結される。本実施の形態において、遮光シート支持手段４は、生簀枠７の第１フロート２３の各固定位置に配置される。また、本実施の形態において、養殖装置１は、８つの遮光シート支持手段４を備えるが、遮光シート支持手段４の数、間隔および位置は、生簀枠７の形状、大きさ、または遮光シート３の大きさなどに応じて、適宜選択することができる。
【００４１】
図２は図１の養殖装置１の一部を示す斜視図であり、図３は養殖装置１の一部を示す簡略化した縦断面図であり、図４は遮光シート支持手段４を示す簡略化した横断面図である。本実施の形態において、遮光シート支持手段４は、第１連結手段２５によって、生簀枠７の外側の環状枠１０と連結される。第１支持部材５は、第２連結手段２６によって、生簀枠７の遮光シート支持手段４との連結部２７の下方付近の連結部２８に連結される。
【００４２】
遮光シート支持手段４は、上下に延びる支柱２９と、支柱２９を支持する支柱受部材３０とから構成されている。支柱２９は、軸方向の長さが約２ｍの棒状のステンレス鋼からなるパイプである。支柱受部材３０は、軸方向の長さが約１ｍの、円筒状のステンレス鋼からなる部材である。支柱受部材３０は、上端面と、側面の一部とが開放されており、支柱２９の外径よりも大径の内径を有する。支柱２９の下端を支柱受部材３０の開放された上端側から挿入することによって、支柱２９を装着することができる。開放された側面の一部は、支柱受部材３０の正面にされる。支柱受部材３０の上端部付近の側面には、一対のアーチ状の連結部３１ａ，３１ｂが形成される。これらの連結部３１ａ，３１ｂに第１ばね部材６の一端部が連結される。
【００４３】
支柱２９の上端部付近の両側部と、中央部付近の両側部と、支柱受部材３０の下端部付近の両側部とに、それぞれ一対の突片３２，３３，３４が形成される。これらの突片３２，３３，３４に遮光シート３を繋着することによって、遮光シート３が遮光シート支持手段４に張架される。この結果、遮光シート３は、遮光シート支持手段４に装着された状態、すなわち装着状態となる。本実施の形態において、支柱２９および支柱受部材３０は、ステンレス鋼からなるが、その他の金属でもよい。支柱２９および支柱受部材３０の寸法および形状は、遮光シート３の寸法などに応じて、適宜選択することができる。
【００４４】
第１支持部材５は、断面形状が矩形であり、中空のステンレス鋼からなる角柱状の部材である。第１支持部材５は、基端部３５から生簀２の外方、かつ軸線Ｘに対して垂直な２つの方向に延びるように形成され、平面形状は略Ｖ字形状である。基端部３５から各遊端部３６ａ，３６ｂまでの距離は、約１ｍであり、２つの遊端部３６ａ，３６ｂの間隔は、約１ｍである。各遊端部３６ａ，３６ｂ付近の上面に、アーチ状の連結部３７ａ，３７ｂが形成される。これらの連結部３７ａ，３７ｂに、第１ばね部材６の、遮光シート支持手段４に連結された端部と反対側の端部が連結される。
【００４５】
第１支持部材５の各遊端部３６ａ，３６ｂ付近には、合成樹脂製の第２フロート３８ａ，３８ｂが取り付けられる。これらの第２フロート３８ａ，３８ｂの平面形状は円形であり、縦断面形状が楕円形の長軸を切断してなる半楕円形状の、中空の密閉された半楕円体である。縦断面の長軸は、約３０ｃｍである。第２フロート３８ａ，３８ｂは、上面を第１支持部材５の下面に当接させた状態で、第２フロート３８ａ，３８ｂを固定するための帯状の第２フロート固定部材３９ａ，３９ｂを、第１支持部材５の連結部３７ａ，３７ｂに挿通し、かつ緊縛することによって、第１支持部材５に固定される。これによって、第１支持部材５に浮力が与えられ、第１支持部材５を一定の高さ、すなわち水上に維持することができる。第２フロート３８ａ，３８ｂの固定方法は、その他の方法を用いてもよい。
【００４６】
第１支持部材５の寸法は、遮光シート支持手段４の寸法に応じて、適宜選択される。本実施の形態において、第１支持部材５の形状は、基端部３５から延びる方向が２つであり、平面形状が略Ｖ字形状であるけれども、基端部３５から延びる方向を３つ以上とする形状であってもよい。また、第１支持部材５の縦断面形状は、円形など、他の形状にしてもよい。本実施の形態において、第１支持部材５は、ステンレス鋼からなるが、その他の金属でもよい。
【００４７】
図２および図３に示すように、第１支持部材５には、重錘手段８２が設けられる。重錘手段８２は、重錘８３と、重錘８３を保持する重錘保持部材８４とを含む。重錘８３は、軸線方向に垂直な仮想平面における断面の形状が円形であり、軸線に沿って貫通孔を有する円筒状の部材である。重錘８３は、比重の比較的大きい金属からなり、たとえば、鉄またはステンレス鋼が用いられる。重錘保持部材８４は、ステンレス鋼からなる細長い棒状の部材である。重錘保持部材８４の軸線方向に垂直な仮想平面における断面の形状は円形であり、重錘８３の貫通孔の内径よりも小さい外径を有する。重錘保持部材８４は、重錘８３を保持するに適した構成を適宜選択することができ、また、その材料は、その他の金属であってもよく、またはロープであってもよい。
【００４８】
本実施の形態において、重錘８３は、重錘保持部材８４を重錘８３の貫通孔に挿通することによって、重錘保持部材８４に保持される。重錘保持部材８４は、両端部をそれぞれ、第１支持部材５の各遊端部３６ａ，３６ｂ付近の側面に固定することによって、第１支持部材５に連結される。こうして、重錘手段８２は、第１支持部材５に設けられる。これによって、第１支持部材５に作用する上方への力に対して、逆方向に重錘手段８２の重力が作用する。この結果、遮光シート３の装着状態をより安定的に維持することができる。
【００４９】
重錘保持部材８４の両端部の固定位置は、重錘８３の重力が第１支持部材５に作用するように、適宜選択することができる。また、重錘８３は、第１支持部材５が第２フロート３８ａ，３８ｂの浮力により水上に維持される状態において水上に位置するように保持される。
【００５０】
第１支持部材５に作用する重錘手段８２の重力は、好ましくは、第２フロート３８ａ，３８ｂが第１支持部材５に与える浮力と均衡するように設定される。必要に応じて、重錘保持部材８４に保持される重錘８３の数を増減させることによって、第１支持部材５に作用する重力を調整することも可能である。
【００５１】
重錘８３が重錘保持部材８４の両端部を第１支持部材５に固定する方法は、適宜選択され、たとえば、溶接、ねじ止めなどである。また、固定後に重錘８３を追加または除去することによって第１支持部材５に作用する力を調節可能とするために、重錘保持部材８４の両端部は着脱自在に固定されてもよい。
【００５２】
第１ばね部材６は、ステンレス鋼線からなる引張コイルばねである。両端部の形状は、略Ｊ字状に形成される。第１ばね部材６は、支柱受部材５のアーチ状の各連結部３１ａ，３１ｂと、第１支持部材５の各遊端部３６ａ，３６ｂ付近に設けられたアーチ状の各連結部３７ａ，３７ｂとの間で張架される。遮光シート３が風圧を受けるなど、遮光シート支持手段４が生簀２の内方に、たとえば図２および図３における矢印Ｐの方向に力を受けた場合に、第１ばね部材６は、遮光シート支持手段４から第１支持部材５の遊端部３６ａ，３６ｂ付近に向かう方向に引張力を作用する。これによって、遮光シート支持手段４に張架された遮光シート３に張力を作用し、遮光シート３の装着状態をより安定的に維持することができる。本実施の形態において、第１ばね部材６の材料として、ステンレス鋼線を用いたが、その他の引張ばねに用いられる材料であってもよく、たとえば、ばね鋼鋼材、硬鋼線などでもよい。
【００５３】
本実施の形態において、第１支持部材５の遊端部３６ａ，３６ｂは、２つであり、２つの第１ばね部材６の各一端部が、各遊端部３６ａ，３６ｂに形成された連結部３７ａ，３７ｂに連結される。これにより、第１ばね部材６は、遮光シート支持手段４に作用する多方向への力に対して、逆方向にばね力を作用することができ、遮光シート３の装着状態をより安定的に維持することができる。第１ばね部材６の数は、第１支持部材５の連結部３７の数、すなわち第１支持部材５の基端部３５から延びる方向の数に応じて、適宜選択される。また、第１ばね部材６の両端部の連結位置、すなわち、支柱受部材３０に設けられる連結部３１ａ，３１ｂおよび第１支持部材５の遊端部３６ａ，３６ｂ付近に設けられる連結部３７ａ，３７ｂの位置は、支柱受部材３０の形状および寸法、ならびに第１支持部材５の形状および寸法などに応じて、第１ばね部材６のばね力が好適に作用するように、適宜選択される。
【００５４】
図５は図３の領域Ａを示す簡略化した拡大断面図であり、図６は第１連結手段２５を示す斜視図であり、図７は第１連結手段２５を示す分解斜視図であり、図８は第２連結手段２６を示す斜視図であり、図９は第２連結手段２６を示す分解斜視図である。
【００５５】
本実施の形態における第１連結手段２５は、ばね部材を備えたヒンジであり、一端部が支柱受部材３０の下端面４０に連結され、他端部に軸筒部４１ａ，４１ｂが形成される第１連結部材４２と、一端部が生簀枠７の外側の環状枠１０に連結され、他端部に軸筒部４３ａ，４３ｂが形成される第２連結部材４４と、コイル部４５を含む第２ばね部材４６と、第１連結部材４２の軸筒部４１ａ，４１ｂと第２連結部材４４の軸筒部４３ａ，４３ｂと第２ばね部材４６のコイル部４５とを挿通する第１軸部材４７とを含む。
【００５６】
本実施の形態において、第１連結部材４２は、ステンレス鋼からなる薄板である。第１連結部材４２の一端部には、支柱受部材３０の下端面に一方面を当接させて装着される取付部４８が設けられる。この取付部４８に連なって、一端から取付部４８の支柱受部材３０の下端面に当接する面に対して垂直に立ち上がる支持部４９が形成される。この支持部４９に連なって、取付部４８が設けられる側の反対側の端部に、円筒状の実質的に同一の内径を有する２つの軸筒部４１ａ，４１ｂが、軸線方向に間隔をあけて形成される。
【００５７】
第１連結部材４２の取付部４８には、３つの開口部５０が互いに等間隔をあけて形成される。これらの開口部５０にねじ５１を挿通して、第１連結部材４２は、支柱受部材３０の下端面にねじ止めによって固定される。第１連結部材４２は、軸筒部４１ａ，４１ｂの軸線方向が支柱受部材３０の軸線方向に対して垂直であり、支柱受部材３０の正面方向に対して垂直となるように、支柱受部材３０に固定される。
【００５８】
本実施の形態において、第２連結部材４４は、ステンレス鋼からなる薄板である。第２連結部材４４の一端部には、生簀枠７の外側の環状枠１０に一方面を当接させて装着される取付部５２が形成される。第２連結部材４４の取付部５２の表面形状は、環状枠１０の表面形状に合わせて形成され、本実施の形態の場合、曲面に形成される。この取付部５２に連なって、一端から、環状枠１０に取り付けた状態で生簀２の軸線Ｘの半径方向に立ち上がる支持部５３が形成される。この支持部５３に連なって、取付部５２が形成される側の反対側の端部に、円筒状の実質的に同一の内径を有する２つの軸筒部４３ａ，４３ｂが軸線方向に間隔をあけて形成される。第２連結部材４４の２つの軸筒部４３ａ，４３ｂの軸線方向の間隔、すなわち一方の軸筒部４３ａの内側の端と他方の軸筒部４３ｂの内側の端との距離は、第１連結部材４２の一方の軸筒部４１ａの外側の端から他方の軸筒部４１ｂの外側の端までの距離と同一にされる。
【００５９】
第２連結部材４４の取付部５２には、３つの開口部５４が互いに等間隔をあけて形成される。これらの開口部５４にねじ８１を挿通して、第２連結部材４４は、生簀枠７の外側の環状枠１０に、第１フロート固定部材２４を介してねじ止めによって固定される。第２連結部材４４は、軸筒部４３ａ，４３ｂの軸線方向が生簀２の軸線Ｘの半径方向に対して垂直であり、かつ生簀２の軸線Ｘ方向に対して垂直となるように、生簀枠７に固定される。本実施の形態において、第２連結部材４４は、第１フロート固定部材２４を介して生簀枠７に固定されるが、遮光シート支持手段４および第１支持部材５が生簀枠７の第１フロート２３の固定位置に設けられない場合は、第１フロート固定部材２４を介さずに生簀枠７に固定される。
【００６０】
本実施の形態において、第１連結部材４２および第２連結部材４４は、ステンレス鋼からなるが、その他の金属であってもよい。
【００６１】
本実施の形態において、第２ばね部材４６は、ステンレス鋼線からなるねじりコイルばねであり、両端の腕部５５ａ，５５ｂがそれぞれ略Ｌ字状に屈曲される。自然状態における両端の腕部５５ａ，５５ｂの、コイル部４５の軸線に垂直な仮想平面における相対角度は、約９０度にされる。コイル部４５の軸線方向の長さは、第１連結部材４２の軸筒部間の距離と同一にされる。本実施の形態において、第２ばね部材４６の材料として、ステンレス鋼線を用いたが、その他のねじりばねに用いられる材料であってもよく、たとえば、硬鋼線などでもよい。
【００６２】
第２連結部材４４の両軸筒部４３の間に、第１連結部材４２の両軸筒部４１ａ，４１ｂが、互いの軸線が一致するように配置される。第１連結部材４２の両軸筒部４１ａ，４１ｂの間に、第２ばね部材４６のコイル部４５が、互いの軸線が一致するように配置される。
【００６３】
第１軸部材４７は、ステンレス鋼からなる円柱状の部材であり、一端部に第１および第２連結部材４２，４４の軸筒部４１ａ，４１ｂ，４３ａ，４３ｂの内径よりも大径の外径を有する頭部５６が形成される。第１軸部材４７は、頭部５６が形成されていない側の端部５７から、第１連結部材４２の軸筒部４１ａ，４１ｂと、第２ばね部材４６のコイル部４５と、第２連結部材４４の軸筒部４３ａ，４３ｂとに挿通される。これによって、第１軸部材４７を軸として、第１連結部材４２と第２連結部材４４とが角変位可能となる。頭部５６が形成されていない側の端部５７には、第１および第２連結部材４２，４４の軸筒部４１，４３の内径よりも大径の外径を有し、頭部５６が形成されていない側の端部５７の外径と同一の内径を有し、第１軸部材４７を軸止めする環状の第１軸止め部材５８が装着される。これによって、第１軸部材４７の装着が確実にされる。本実施の形態において、第１軸部材４７および第１軸止め部材５８は、ステンレス鋼からなるが、その他の金属であってもよい。
【００６４】
自然状態において、第２ばね部材４６は、一端部が第１連結部材４２の生簀２の内方に向かう面５９に当接し、他端部が第２連結部材４４の上方に向かう面６０に当接するように設けられる。第２ばね部材４６の自然状態における第１連結部材４２と第２連結部材４４との、第１軸部材４７の軸線に垂直な仮想平面における相対角度は、約９０度にされる。遮光シート支持手段４が力を受けることによって、第１連結部材４２が生簀２の内方に、第１軸部材４７の軸線まわりに角変位する場合、すなわち図５に示す矢印Ｑの方向に角変位する場合、第２ばね部材４６は、遮光シート支持手段４に作用する生簀２の内方への力に対して、逆方向、すなわち図５に示す矢印Ｒの方向に、ばね力を作用する。
【００６５】
本実施の形態における第２連結手段２６は、ばね部材を備えたヒンジであり、一端部が第１支持部材５の基端部３５に連結され、他端部に軸筒部６１ａ，６１ｂが形成される第３連結部材６２と、一端部が生簀枠７の外側の環状枠１０に連結され、他端部に軸筒部６３ａ，６３ｂが形成される第４連結部材６４と、コイル部６５を含む第３ばね部材６６と、第３連結部材６２の軸筒部６１ａ，６１ｂと第４連結部材６４の軸筒部６３ａ，６３ｂと第３ばね部材６６のコイル部６５とを挿通する第２軸部材６７とを含む。
【００６６】
本実施の形態において、第３連結部材６２は、ステンレス鋼からなる薄板である。第３連結部材６２の一端部には、第１支持部材５の基端部３５に一方面を当接させて装着される取付部６８が形成される。この取付部６８に連なって、一端から取付部６８の第１支持部材５の基端部３５に当接する面に対して垂直に立ち上がる支持部６９が形成される。この支持部６９に連なって、取付部６８が設けられる側の反対側の端部に、円筒状の実質的に同一の内径を有する２つの軸筒部６１ａ，６１ｂが軸線方向に間隔をあけて形成される。
【００６７】
第３連結部材６２の取付部６８には、３つの開口部７０が互いに等間隔をあけて形成される。これらの開口部７０にねじ７１を挿通して、第３連結部材６２は、第１支持部材５の基端部３５にねじ止めによって固定される。第３連結部材は、軸筒部６１ａ，６１ｂの軸線方向が生簀２の軸線Ｘの半径方向に対して垂直であり、かつ生簀２の軸線Ｘ方向に対して垂直となるように、第１支持部材５に固定される。
【００６８】
第４連結部材６４は、ステンレス鋼からなる薄板である。第４連結部材６４の一端部には、生簀枠７の外側の環状枠１０に一方面を当接させて装着される取付部７１が設けられる。第４連結部材６４の取付部７１の環状枠１０に当接する面７２の形状は、環状枠１０の面の形状に合わせて形成され、本実施の形態においては、曲面に形成される。この取付部７１に連なって、一端から、環状枠１０に取り付けた状態で生簀２の軸線Ｘの半径方向に立ち上がる支持部７２が形成される。この支持部７２に連なって、取付部７１が形成される側の反対側の端部に、円筒状の実質的に同一の内径を有する２つの軸筒部６３ａ，６３ｂが軸線方向に間隔をあけて形成される。第４連結部材６４の軸筒部６３ａ，６３ｂの軸線方向の間隔、すなわち一方の軸筒部６３ａの内側の端と他方の軸筒部６３ｂの内側の端との距離は、第３連結部材６２の一方の軸筒部６１ａの外側の端から他方の軸筒部６１ｂの外側の端までの距離とは、同一にされる。
【００６９】
第４連結部材６４の取付部７１には、３つの開口部７３が互いに等間隔をあけて形成される。これらの開口部７３にねじ７４を挿通して、取付部７１は、生簀枠７の外側の環状枠１０に、第１フロート固定部材２４を介してねじ止めによって固定される。第４連結部材６４は、軸筒部６３ａ，６３ｂの軸線方向が生簀２の軸線Ｘの半径方向に対して垂直であり、かつ生簀２の軸線Ｘ方向に対して垂直となるように、生簀枠７に固定される。本実施の形態において、第４連結部材６４は、第１フロート固定部材２４を介して生簀枠７に固定されるが、遮光シート支持手段４および第１支持部材５が生簀枠７の第１フロート２３の固定位置に設けられない場合は、第１フロート固定部材２４を介さずに生簀枠７に固定される。
【００７０】
本実施の形態において、第３連結部材６２および第４連結部材６４は、ステンレス鋼からなるが、その他の金属であってもよい。
【００７１】
本実施の形態において、第３ばね部材６６は、ステンレス鋼線からなるねじりコイルばねである。第３ばね部材６６の両端の腕部７５ａ，７５ｂは、それぞれ略Ｌ字状に屈曲される。自然状態における両端の腕部７５ａ，７５ｂの、コイル部６５の軸線方向に垂直な仮想平面における相対角度は、約１８０度にされる。コイル部６５の軸線方向の長さは、第３連結部材６２の軸筒部６１間の距離と同一にされる。本実施の形態において、第３ばね部材６６の材料として、ステンレス鋼線を用いたが、その他のねじりばねに用いられる材料であってもよく、たとえば、硬鋼線などでもよい。
【００７２】
第４連結部材６４の両軸筒部６３ａ，６３ｂの間に、第３連結部材６２の両軸筒部６１ａ，６１ｂが、互いの軸線が一致するように配置される。第３連結部材６２の両軸筒部６１ａ，６１ｂの間に、第３ばね部材６６のコイル部６５が、互いの軸線が一致するように配置される。
【００７３】
第２軸部材６７は、ステンレス鋼からなる円柱状の部材であり、一端部に、第３および第４連結部材６２，６４の軸筒部６１ａ，６１ｂ，６３ａ，６３ｂの内径よりも大径の外径を有する頭部７６が形成される。第２軸部材６７は、頭部７６が形成されていない側の端部７７から、第３連結部材６２の軸筒部６１ａ，６１ｂと、第４連結部材６４の軸筒部６３ａ，６３ｂと、第３ばね部材６６のコイル部６５とに挿通される。これによって、第２軸部材６７を軸として、第３連結部材６２と第４連結部材６４とが角変位可能となる。頭部７６が形成されていない側の端部７７には、第３および第４連結部材６２，６４の軸筒部６１，６３の内径よりも大径の外径を有し、頭部７６が形成されていない側の端部７７の外径と同一の内径を有し、第２軸部材６７を軸止めする環状の第２軸止め部材７８が装着される。これによって、第２軸部材６７の装着が確実にされる。本実施の形態において、第２軸部材６７および第２軸止め部材７８は、ステンレス鋼からなるが、その他の金属であってもよい。
【００７４】
第３ばね部材６６は、自然状態において、一端部が第３連結部材６２の上方に向かう面７９に当接し、他端部が第４連結部材６４の上方に向かう面８０に当接するように設けられる。第３ばね部材６６の自然状態における第３連結部材６２と第４連結部材６４との、第２軸部材６７の軸線に垂直な仮想平面における相対角度は、約１８０度にされる。第１支持部材５が力を受けることによって、第３連結部材６２が、上方に、第２軸部材６７の軸線まわりに角変位する場合、すなわち図５に示す矢印Ｓの方向に角変位する場合、第３ばね部材６６は、第１支持部材５に作用する上方への力に対して、逆方向、すなわち図５に示す矢印Ｔの方向に作用する。
【図面の簡単な説明】
【００７５】
【図１】本発明の実施の一形態である養殖装置１の全体の構成を示す斜視図である。
【図２】養殖装置１の一部を示す斜視図である。
【図３】養殖装置１の一部を示す簡略化した縦断面図である。
【図４】遮光シート支持手段４を示す簡略化した横断面図である。
【図５】図３の領域Ａを示す簡略化した拡大断面図である。
【図６】第１連結手段２５を示す斜視図である。
【図７】第１連結手段２５を示す分解斜視図である。
【図８】第２連結手段２６を示す斜視図である。
【図９】第２連結手段２６を示す分解斜視図である。
【符号の説明】
【００７６】
１  養殖装置
２  生簀
３  遮光シート
４  遮光シート支持手段
５  第１支持部材
６  第１ばね部材
７  生簀枠
２５  第１連結手段
２６  第２連結手段
２９  支柱  
３０  支柱受部材
３５  第１支持部材の基端部
３６ａ，３６ｂ  第１支持部材の遊端部
３８ａ，３８ｂ  第２フロート
４２  第１連結部材
４４  第２連結部材
４６  第２ばね部材
４７  第１軸部材
６２  第３連結部材
６４  第４連結部材
６６  第３ばね部材
６７  第２軸部材
８２  重錘手段
【図１】
2005348658.tif 000003
【図２】
2005348658.tif 000004
【図３】
2005348658.tif 000005
【図４】
2005348658.tif 000006
【図５】
2005348658.tif 000007
【図６】
2005348658.tif 000008
【図７】
2005348658.tif 000009
【図８】
2005348658.tif 000010
【図９】
2005348658.tif 000011